(57)【要約】【課題】ユーザごとの選局設定を容易に行うことができるラジオ放送受信機を提供する。【解決手段】選択対象のチャンネルを絞り込む設定の内容をユーザごとにラジオ設定情報として記憶する記憶部１１と、選局対象のチャンネルを提示して選局を受け付ける選局処理部１２と、認証されたユーザに対応するラジオ設定情報を記憶部１１から読み出して、このラジオ設定情報に基づきユーザが絞り込んだ選択対象のチャンネルを選局処理部１２に設定する設定部１０とを備える。【選択図】図１
2014241485.tif 000002
【特許請求の範囲】
【請求項１】
複数のチャンネルから選局対象のチャンネルを絞り込む設定が可能なラジオ放送受信機において、
前記選択対象のチャンネルを絞り込む設定の内容をユーザごとにラジオ設定情報として記憶する記憶部と、
選局対象のチャンネルを提示して選局を受け付ける選局処理部と、
認証されたユーザに対応するラジオ設定情報を前記記憶部から読み出して、このラジオ設定情報に基づき前記ユーザが絞り込んだ前記選択対象のチャンネルを前記選局処理部に設定する設定部とを備えることを特徴とするラジオ放送受信機。
【請求項２】
前記選局対象のチャンネルを絞り込む設定は、選局対象から除外するチャンネルを設定するチャンネルスキップ設定、または、選局対象のチャンネルを設定するチャンネルプリセット設定であることを特徴とする請求項１記載のラジオ放送受信機。
【請求項３】
ユーザの嗜好を解析する嗜好解析部を備え、
前記設定部は、前記嗜好解析部により解析されたユーザの嗜好に応じて前記選択対象のチャンネルを絞り込んで、この絞り込みの内容をラジオ設定情報として前記記憶部に記憶することを特徴とする請求項１または請求項２記載のラジオ放送受信機。
【発明の詳細な説明】
【技術分野】
【０００１】
この発明は、ラジオ放送を受信するラジオ放送受信機に係り、特にユーザごとの嗜好に合ったチャンネルを選局候補として設定できるラジオ放送受信機に関する。
【背景技術】
【０００２】
車載の放送受信装置で受信可能なラジオ放送には、従来のアナログラジオ放送に加え、地上波デジタルラジオ、衛星デジタルラジオなどがある。これらのラジオ放送の中には、音楽ジャンルまたは放送内容ごとにチャンネルが分類されており、ユーザが所望する音楽ジャンルまたは放送内容のチャンネルを選局することができる。
また、選局可能なチャンネルから特定のチャンネルを除く、いわゆるチャンネルスキップ設定を行うことで、選局可能なチャンネルから所望のチャンネルを選局する際の繁雑さを緩和することもできる。
【０００３】
例えば、特許文献１には、ラジオ放送を受信できるオーディオ装置が開示されている。このオーディオ装置では、ユーザが受信を希望する放送局を、メモリボタンに対応付けてプリセットすることができる。放送局を選局する際に、放送局がプリセットされていないメモリボタンについてはスキップし、放送局がプリセットされているメモリボタンのみを選局対象とする。これにより、利便性の向上を図っている。
【先行技術文献】
【特許文献】
【０００４】
【特許文献１】特開２００６−１５７０９６号公報
【発明の概要】
【発明が解決しようとする課題】
【０００５】
特許文献１に代表される従来の技術では、例えば、カーシェアリングサービスのように複数のユーザが１台の車両を共用する場合に、車載の放送受信装置に対してユーザごとに好みの設定をやり直す必要があるため、設定作業に時間がかかり利便性が悪いという課題があった。
【０００６】
例えば、“Ｓｉｒｉｕｓ”のような衛星デジタルラジオ放送では、膨大な数（１００社以上）の放送局が番組を提供しているため、ユーザが選局の対象から除外するチャンネルを選択することができるチャンネルスキップ機能は非常に有効である。
しかしながら、チャンネルスキップの内容は、一般的にユーザごとに異なる。
このため、車両を複数のユーザで共用する場合、この車両に搭載されたラジオ放送受信機では、ユーザが車両を使用する度に自身の嗜好に合わせてチャンネルスキップをやり直す必要がある。
【０００７】
この発明は、上記のような課題を解決するためになされたもので、ユーザごとの選局の設定を容易に行うことができるラジオ放送受信機を得ることを目的とする。
【課題を解決するための手段】
【０００８】
この発明に係るラジオ放送受信機は、複数のチャンネルから選局対象のチャンネルを絞り込む設定が可能なラジオ放送受信機において、選択対象のチャンネルを絞り込む設定の内容をユーザごとにラジオ設定情報として記憶する記憶部と、選局対象のチャンネルを提示して選局を受け付ける選局処理部と、認証されたユーザに対応するラジオ設定情報を記憶部から読み出して、このラジオ設定情報に基づきユーザが絞り込んだ選択対象のチャンネルを選局処理部に設定する設定部とを備えることを特徴とする。
【発明の効果】
【０００９】
この発明によれば、ユーザごとの選局の設定を容易に行うことができるという効果がある。
【図面の簡単な説明】
【００１０】
【図１】この発明の実施の形態１に係るラジオ放送受信機によるユーザごとの選局設定の登録処理を示す図である。
【図２】ユーザＡの選局設定の概要を示す図である。
【図３】ユーザに応じて選局設定を自動で行う処理を示すフローチャートである。
【図４】この発明の実施の形態２に係るラジオ放送受信機の構成を示すブロック図である。
【発明を実施するための形態】
【００１１】
実施の形態１．
図１は、この発明の実施の形態１に係るラジオ放送受信機によるユーザごとの選局設定の登録処理を示す図である。また、図２は、ユーザＡの選局設定の概要を示す図である。
図１において、実施の形態１に係るラジオ放送受信機は、移動体（例えば、車両）に搭載された車載ラジオ１であって、車載ラジオ１を搭載する車両には、電子キー２ａ，２ｂにより運転操作が可能となる運転操作部３、識別部４およびワイヤレスレシーバ５が設けられている。
【００１２】
電子キー２ａ，２ｂは、ユーザＡ，Ｂに携帯される電子キーであり、キーごとに固有なＩＤコードを保持するとともに、ＩＤコードをワイヤレスレシーバ５に送信する通信機能を有する。運転操作部３は、例えばアクセルペダル、ブレーキペダルおよびステアリングを備えた運転操作部であり、電子キー２ａ，２ｂが装着された状態でユーザＡ，Ｂにより行われた運転操作で車両を運転する。また、運転操作部３は、電子キー２ａ，２ｂが保持するＩＤコードを識別部４に送信する。
【００１３】
識別部４は、電子キー２ａ，２ｂが保持するＩＤコードでユーザＡ，Ｂを識別して認証する。認証結果は、ユーザＡ，Ｂの識別データとして車載ラジオ１の設定部１０に送信される。なお、識別部４は、車載ラジオ１に内蔵されていてもよい。
ワイヤレスレシーバ５は、電子キー２ａ，２ｂからＩＤコードを受信して、識別部４を介して車載ラジオ１に出力する。
例えば、図２に示すように、電子キー２ａを携帯したユーザＡが車両ａに接近すると、ワイヤレスレシーバ５が電子キー２ａからＩＤコードを受信する。
【００１４】
車載ラジオ１は、複数のチャンネルから選局対象のチャンネルを絞り込む設定が可能なラジオ放送受信機であって、設定部１０、記憶部１１および選局処理部１２を備えて構成される。なお、選局対象のチャンネルを絞り込む設定としては、複数の番組のチャンネルのうち、選局対象から除外するチャンネルを設定するチャンネルスキップ設定があるが、選局対象のチャンネルを設定するチャンネルプリセット設定であってもよい。
このようにすることで、例えば、“Ｓｉｒｉｕｓ”のように多数の番組を提供する衛星デジタルラジオ放送において、ユーザが所望する番組のチャンネルのみを選択対象とすることができる。以降では、車載ラジオ１が、チャンネルスキップ設定を受け付けるものとして説明する。
【００１５】
設定部１０は、識別部４によって認証されたユーザに対応するラジオ設定情報を記憶部１１から読み出し、このラジオ設定情報に基づいてユーザが絞り込んだ選択対象のチャンネルを選局処理部１２に設定する。
記憶部１１は、選択対象のチャンネルを絞り込む設定の内容をユーザごとにラジオ設定情報として記憶する記憶部であり、図１（ａ）に示すようにユーザＡを示す識別データＡに対応付けてラジオ設定情報Ａが記憶され、図１（ｂ）に示すようにユーザＢを示す識別データＢに対応付けてラジオ設定情報Ｂが記憶される。
選局処理部１２は、選局対象のチャンネルを提示して選局を受け付ける選局処理部である。例えば、表示部（図１において不図示）に選局画面を表示して、ユーザの選局を受け付ける。この選局画面には、チャンネルスキップによってユーザが選局対象から除外したチャンネルは表示されない。
【００１６】
入力部（図１において不図示）を用いて、ユーザＡが選局対象から除外するチャンネルを設定すると、この設定の内容がラジオ設定情報Ａとして記憶部１１に記憶される。
このとき、設定部１０は、運転操作部３に装着された電子キー２ａが保持しているＩＤコードを、識別部４を介して入力し、ユーザＡの識別データＡとして記憶部１１のラジオ設定情報Ａに紐付けする。なお、ユーザＢについても同様に、ユーザＢの識別データＢに対応付けてラジオ設定情報Ｂが記憶部１１に記憶される。このようにして、ユーザごとの選局設定が登録される。
【００１７】
次に動作について説明する。
図３は、ユーザに応じて選局設定を自動で行う処理を示すフローチャートである。
例えば、電子キー２ａを携帯したユーザＡが車両に接近すると、ワイヤレスレシーバ５が、電子キー２ａからＩＤコードを受信して識別部４に出力する。
識別部４は、ワイヤレスレシーバ５が検知したＩＤコードがユーザＡまたはユーザＢのいずれに対応するかを判定して、ユーザ認証を行う（ステップＳＴ１）。
ユーザＡであると判定した場合（ステップＳＴ１；ユーザＡ）、識別部４はＩＤコード（識別データＡ）を車載ラジオ１の設定部１０に出力する。
【００１８】
設定部１０は、識別データＡが記憶部１１に記憶されているか否かを確認する（ステップＳＴ２）。このとき、識別データＡが記憶されていれば（ステップＳＴ２；ＹＥＳ）、設定部１０は、記憶部１１から識別データＡに対応するラジオ設定情報Ａを読み出す（ステップＳＴ３）。この後、設定部１０は、ラジオ設定情報Ａに基づいて、ユーザＡが絞り込んだ選択対象のチャンネルを選局処理部１２に設定する。これにより、選局処理部１２は、選局対象のチャンネルを提示して選局を受け付ける。
【００１９】
一方、ユーザＢであると判定した場合（ステップＳＴ１；ユーザＢ）、識別部４はＩＤコード（識別データＢ）を車載ラジオ１の設定部１０に出力する。
設定部１０は、ユーザＡの場合と同様に、識別データＢが記憶部１１に記憶されているか否かを確認する（ステップＳＴ４）。
識別データＢが記憶されていれば（ステップＳＴ４；ＹＥＳ）、設定部１０は、記憶部１１から識別データＢに対応するラジオ設定情報Ｂを読み出す（ステップＳＴ６）。
この後、設定部１０は、ラジオ設定情報Ｂに基づいて、ユーザＢが絞り込んだ選択対象のチャンネルを選局処理部１２に設定する。これにより、選局処理部１２は、選局対象のチャンネルを提示して選局を受け付ける。
【００２０】
また、識別データＡが記憶部１１に記憶されていない（ステップＳＴ２；ＮＯ）、あるいは、識別データＢが記憶部１１に記憶されていない場合（ステップＳＴ４；ＮＯ）、設定部１０は、新規ユーザとして新たに識別データと設定内容を紐付けて記憶部１１に記憶させる（ステップＳＴ５）。例えば、入力部を用いて、新規ユーザが選局対象から除外するチャンネルを設定すると、この設定の内容が新たなラジオ設定情報として記憶部１１に記憶される。
このとき、設定部１０は、新規ユーザのＩＤコードを新たなラジオ設定情報に紐付けて記憶部１１に記憶する。
【００２１】
上述のようにすることで、ユーザＡとユーザＢが車両を交互に運転することになっても車外から電子キーを検知させるだけで、自身が設定したラジオ聴取環境を瞬時に設定することができる。また、ユーザＡ，Ｂの２人である場合を示したが、電子キーの数に対応して３人以上のユーザの設定を自動で行うことも可能である。
【００２２】
なお、ユーザの認証方法は、ユーザが確実に識別できる方法であればよく、電子キーのＩＤコードを利用する場合の他、顔認証、指紋認証、ＩＤ入力などであってもよい。
【００２３】
以上のように、この実施の形態１によれば、選択対象のチャンネルを絞り込む設定の内容をユーザごとにラジオ設定情報として記憶する記憶部１１と、選局対象のチャンネルを提示して選局を受け付ける選局処理部１２と、認証されたユーザに対応するラジオ設定情報を記憶部１１から読み出して、このラジオ設定情報に基づきユーザが絞り込んだ選択対象のチャンネルを選局処理部１２に設定する設定部１０とを備える。このように構成することで、認証されたユーザが行った設定が車載ラジオ１に自動で反映され、ユーザごとの選局の設定を容易に行うことができる。
【００２４】
また、この実施の形態１によれば、選局対象のチャンネルを絞り込む設定は、選局対象から除外するチャンネルを設定するチャンネルスキップ設定、または、選局対象のチャンネルを設定するチャンネルプリセット設定である。このようにすることで、多数の番組を提供するラジオ放送においてもユーザが所望する番組のチャンネルのみを選択対象とすることができる。
【００２５】
実施の形態２．
図４は、この発明の実施の形態２に係るラジオ放送受信機の構成を示すブロック図である。図４において、車載ラジオ１Ａは、移動体（例えば、車両）に搭載されたラジオ放送受信機であり、嗜好解析部７、設定部１０ａ、記憶部１１および選局処理部１２を備えて構成される。嗜好解析部７は、ユーザの嗜好を解析する嗜好解析部であって、情報収集部７０および解析部７１を備える。嗜好解析部７は、例えば、外部機器から取得したユーザの嗜好に関する情報を解析して嗜好情報を生成する。ここで、ユーザの嗜好に関する情報とは、選局対象のチャンネルを選択するためのキーワードやジャンルなどの情報である。
【００２６】
情報収集部７０は、外部機器からユーザの嗜好に関する情報を収集する。図４に示す例では、外部機器が音楽プレーヤ６であり、情報収集部７０は、ユーザが音楽プレーヤ６に保存した音楽データに含まれるジャンルを、ユーザの嗜好に関する情報として収集する。
解析部７１は、情報収集部７０が取得したユーザの嗜好に関する情報を解析してユーザの嗜好情報を生成する。例えば、情報収集部７０が取得した各種の音楽ジャンルをまとめた情報をユーザの嗜好情報とする。
【００２７】
設定部１０ａは、嗜好解析部７が生成したユーザの嗜好情報に応じて選択対象のチャンネルを絞り込んで、この絞り込みの内容をラジオ設定情報として記憶部１１に記憶する。例えば、嗜好情報として各種の音楽ジャンルを受信すると、これらのジャンルに合致したチャンネルを選局対象とし、これ以外のチャンネルを選局対象から除外する。
ユーザＣが認証されると、設定部１０ａは、このユーザＣの嗜好情報を基に設定されたラジオ設定情報を記憶部１１から読み出し、このラジオ設定情報を基に選択対象のチャンネルを選局処理部１２に設定する。これにより、選局処理部１２は、ユーザＣの嗜好に合った選局対象のチャンネルを提示して選局を受け付けることができる。
【００２８】
以上のように、この実施の形態２によれば、ユーザの嗜好を解析する嗜好解析部７を備え、設定部１０が、嗜好解析部７により解析されたユーザの嗜好に応じて選択対象のチャンネルを絞り込んで、この絞り込みの内容をラジオ設定情報として記憶部１１に記憶する。このように構成することで、選局対象のチャンネルを絞り込む設定を自動で行うことができ、さらなる利便性の向上を図ることができる。
【００２９】
実施の形態１，２においては、この発明に係るラジオ放送受信機を車両に搭載した場合を示したが、これに限定されるものではない。
すなわち、この発明に係るラジオ放送受信機は、人、車両、鉄道、船舶または航空機などを含む移動体用のラジオ放送受信機であり、特に車両への持ち込みまたは車載に適している。
【００３０】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３１】
１，１Ａ  車載ラジオ、２ａ，２ｂ  電子キー、３  運転操作部、４  識別部、５  ワイヤレスレシーバ、６  音楽プレーヤ、７  嗜好解析部、１０，１０ａ  設定部、１１  記憶部、１２  選局処理部、７０  情報収集部、７１  解析部。
【図１】
2014241485.tif 000003
【図２】
2014241485.tif 000004
【図３】
2014241485.tif 000005
【図４】
2014241485.tif 000006